(57)【要約】【課題】ＬＥＤに補助光発光以外の機能を持たせた撮影装置を提供する。【解決手段】ＬＥＤ１１４を発光させる発光モードとＬＥＤ１１４に外光を受光させる受光モードとを切り替えるモード切替回路１１３１を設けて、ＬＥＤ１１４に補助光発光以外の機能を持たせる。システム制御回路１１０の指示にしたがってモード切替回路１１３１が受光モードへの切替を行なったときにはシステム制御回路１１０がＬＥＤ１１４で電力検出回路で検出した電力に応じた光量になる様にバックライト発光回路１５０２に指示してＬＣＤのバックライト１５０３を発光させることができる。つまりＬＥＤ１１４に外光の明るさの測定機能を持たせることになる。【選択図】図２
2008058347.tif 000002
【特許請求の範囲】
【請求項１】
被写体光を撮像素子上に結像させて画像データを生成する撮影装置において、
外光を受光する受光機能を有するＬＥＤと、
前記ＬＥＤを発光させる発光モードと前記ＬＥＤに外光を受光させる受光モードとを切り替えるモード切替手段とを備えたことを特徴とする撮影装置。
【請求項２】
被写体光を撮像素子上に結像させて画像データを生成する撮影装置において、
外光を受光する受光機能を有するＬＥＤを備えた補助光発光手段と、
前記ＬＥＤで測定された外光の明るさに応じた光量で発光するバックライトを備えた表示画面と、
前記ＬＥＤを発光させる発光モードと前記ＬＥＤに外光を受光させる受光モードとを切り替えるモード切替手段とを備えたことを特徴とする撮影装置。
【請求項３】
被写体光を撮像素子上に結像させて画像データを生成する撮影装置において、
外光を受光する受光機能を有するＬＥＤを備えた補助光発光手段と、
前記ＬＥＤでの受光により生成された電力を蓄える蓄電手段と、
前記ＬＥＤを発光させる発光モードと前記ＬＥＤに外光を受光させる受光モードとを切り替えるモード切替手段とを備えたことを特徴とする撮影装置。
【請求項４】
前記補助光発光手段が、前記ＬＥＤからの光を照射する照射角を変化させる照射角変更部材を備え、該補助光発光手段は、前記受光モードに切り替えられたときは、該照射角変更部材を広角側に切り替えるものであることを特徴とする請求項３記載の撮影装置。
【請求項５】
被写体光を撮像素子上に結像させて画像データを生成する撮影装置において、
外光を受光する受光機能を有するＬＥＤを備えた補助光発光手段と、
前記ＬＥＤでの受光により生成された電力の供給を受けて動作する電子回路と、
前記ＬＥＤを発光させる発光モードと前記ＬＥＤに外光を受光させる受光モードとを切り替えるモード切替手段とを備えたことを特徴とする撮影装置。
【請求項６】
前記電子回路は、電力供給量の低下を受けて、電力消費を低減させた省電力モードに移行するものであることを特徴とする請求項５記載の撮影装置。
【発明の詳細な説明】
【技術分野】
【０００１】
本発明は、被写体光を撮像素子上に結像させて画像データを生成する撮影装置に関する。
【背景技術】
【０００２】
デジタルカメラには、電力供給源として充電を行なえば何度でも用いることができる２次電池が備えられているものが多い。またデジタルカメラの中には太陽電池を搭載して太陽光を電力供給源として用いることができる様にしているものもある（例えば特許文献１参照）。
【０００３】
ところで、最近発光管の代わりに撮影補助光の発光用としてＬＥＤを用いようという動きがある。このＬＥＤを用いるとキセノン管よりも消費電力が軽減される。
【０００４】
またその発光素子であるＬＥＤに、外光を受光させると外光の明るさに応じた電力が発生するという作用があることも知られている（非特許文献１、２参照）。
【特許文献１】特開２００１−１５７４１７号公報
【非特許文献１】インターネット＜＜ｈｔｔｐ：／／ＷＷＷ．ｓｕｎｆｉｅｌｄ．ｎｅ．ｊｐ／〜Ｏｓｈｉｍａ／ｏｍｏｓｉｒｏ／Ｌｅｄ／Ｌｅｄ−ｈａｔｕｄｅｎ．ｈｔｍｌ＞＞
【非特許文献２】インターネット＜＜ｈｔｔｐ：／／ｈｏｍｅｐａｇｅ３．ｎｉｆｔｙ．ｃｏｍ／ｓ−ｄａｎｊｙｏ／ｅｌｅｃｔｒｏ／ｌｅｄ／ｌｅｄ．ｈｔｍ＞＞
【発明の開示】
【発明が解決しようとする課題】
【０００５】
本発明は、上記事情に鑑み、ＬＥＤに、補助光発光以外の機能を持たせた撮影装置を提供することを目的とする。
【課題を解決するための手段】
【０００６】
上記目的を達成する本発明の第１の撮影装置は、被写体光を撮像素子上に結像させて画像データを生成する撮影装置において、
外光を受光する受光機能を有するＬＥＤと、
上記ＬＥＤを発光させる発光モードと上記ＬＥＤに外光を受光させる受光モードとを切り替えるモード切替手段とを備えたことを特徴とする。
【０００７】
上記本発明の第１の撮影装置によれば、上記モード切替手段がモードを発光モードに切り替えることによりＬＥＤに補助光を発光させることも、補助光を発光させる必要がないときにはモードを上記受光モードに切り替えることにより上記ＬＥＤを受光素子として作用させることもできる。こうしてＬＥＤを受光素子として作用させたときにはそのＬＥＤを、外光の明るさを測定する測定素子や補助用電力源として多機能的に用いることができる様になる。
【０００８】
また上記目的を達成する本発明の第２の撮影装置は、被写体光を撮像素子上に結像させて画像データを生成する撮影装置において、
外光を受光する受光機能を有するＬＥＤを備えた補助光発光手段と、
上記ＬＥＤで測定された外光の明るさに応じた光量で発光するバックライトを備えた表示画面と、
上記ＬＥＤを発光させる発光モードと上記ＬＥＤに外光を受光させる受光モードとを切り替えるモード切替手段とを備えたことを特徴とする。
【０００９】
上記本発明の第２の撮影装置によれば、上記モード切替手段がモードを受光モードに切り替えてＬＥＤに外光を受光させることにより外光の明るさを測定させ、測定させた外光の明るさに応じた光量でバックライトを発光させることができる。
【００１０】
そうすると、ＬＥＤによる測定により外光が明るいと判定されたときには表示画面が備えるバックライトの光量を上げて表示画面を明るくすることによりその表示画面を見易くしたり、ＬＥＤによる測定により外光が暗いと判定されたときにはバックライトの光量を下げて表示画面を暗くすることにより表示画面を見易くしたりすることができる。
【００１１】
つまり、ＬＥＤを使って外光の明るさを測定することによりバックライトの調光を自在に行なうことができる様になる。
【００１２】
上記目的を達成する本発明の第３の撮影装置は、被写体光を撮像素子上に結像させて画像データを生成する撮影装置において、
外光を受光する受光機能を有するＬＥＤを備えた補助光発光手段と、
上記ＬＥＤでの受光により生成された電力を蓄える蓄電手段と、
上記ＬＥＤを発光させる発光モードと上記ＬＥＤに外光を受光させる受光モードとを切り替えるモード切替手段とを備えたことを特徴とする。
【００１３】
上記本発明の第３の撮影装置によれば、上記モード切替手段がモードを発光モードに切り替えて上記ＬＥＤに補助光の発光を行なわせる以外に、上記モード切替手段がモードを受光モードに切り替えてＬＥＤに受光を行なわせることによりＬＥＤでの受光により生成された電力を上記蓄電手段に蓄えることができる。当該撮影装置においては補助光発光用の電力供給源であるコンデンサや２次電池などが上記蓄電手段に相当するので、ＬＥＤでの受光により生成された電力が上記コンデンサや上記２次電池に充電により蓄電される。そうすると２次電池の負担が軽減され２次電池の消費電力が低減されるという効果が得られる。
【００１４】
ここで、上記補助光発光手段が、上記ＬＥＤからの光を照射する照射角を変化させる照射角変更部材を備え、その補助光発光手段は、上記受光モードに切り替えられたときは、照射角変更部材を広角側に切り替えるものであることが好ましい。
【００１５】
上記ＬＥＤに多量の光が受光されれば受光されるほど、ＬＥＤでの受光により生成される電力量が増えるので、上記の様に照射角変更部材が広角側に切り替えられる様になっているとＬＥＤに多量の光が受光され生成される電力量が増える。
【００１６】
また上記目的を達成する本発明の第４の撮影装置は、被写体光を撮像素子上に結像させて画像データを生成する撮影装置において、
外光を受光する受光機能を有するＬＥＤを備えた補助光発光手段と、
上記ＬＥＤでの受光により生成された電力の供給を受けて動作する電子回路と、
上記ＬＥＤを発光させる発光モードと上記ＬＥＤに外光を受光させる受光モードとを切り替えるモード切替手段とを備えたことを特徴とする。
【００１７】
上記本発明の第４の撮影装置によれば、上記モード切替手段がモードを受光モードに切り替えたときには上記ＬＥＤでの受光により生成された電力の供給を受けて上記電子回路が動作する。
【００１８】
ここで上記モード切替手段がモードを発光モードに切り替えたときには電池から上記電子回路に電力が供給される様にしておけばその電子回路にはいつでも電力が供給される様になるので、通常においては上記ＬＥＤからの電力の供給を受けて電子回路が動作する分、電池の電力消費が低減されるという効果が得られる。
【００１９】
ここで、上記電子回路は、電力供給量の低下を受けて、電力消費を低減させた省電力モードに移行するものであることが好ましい。
【００２０】
上記電子回路が、例えば表示画面のバックライトを発光させるバックライト発光回路であった場合には、ＬＥＤの電力供給量が低下してきたことを受けてそのバックライトの発光回路への電力供給量を低減させた省電力モードに移行すると良い。
【００２１】
そうすると、ＬＥＤでの受光により生成された電力が無駄に使われることがなくなる。またバックライトの発光量を減らしてバックライトの明るさを暗くすることにより省エネが行なわれていることを表示画面の明るさでユーザに通知することもできる。
【発明の効果】
【００２２】
以上、説明したように、ＬＥＤに補助光発光以外の機能を持たせた撮影装置が実現する。
【発明を実施するための最良の形態】
【００２３】
以下、図面を参照して本発明の実施の形態を説明する。
【００２４】
図１は本発明の一実施形態であるデジタルカメラ１の外観を示す図である。
【００２５】
図１に示すデジタルカメラ１のボディ中央にはレンズ鏡胴１００が備えられている。そのレンズ鏡胴１００内に撮影レンズ１０２１が内蔵されている。またそのレンズ鏡胴１００の上方にはファインダ１０１が備えられており、そのファインダ１０１の横方であってレンズ鏡胴の右斜め上方には発光窓１０２が備えられている。この発光窓１０２からは、後述するシステム制御回路によって撮影補助光の照射が必要であると判定された場合に被写体に向けて撮影補助光が照射されるようになっている。またボディ上面にはモードダイヤル１０３とレリーズボタン１０４が備えられている。このモードダイヤル１０３には、複数のモードが切替項目として刻まれておりその切替項目の中には撮影モードや再生モードなどがある。さらにその撮影モードの中に静止画撮影モードや動画撮影モード等の切替項目が刻まれている。モードダイヤルが回されてその刻まれている切替項目のいずれかがボディ側の△印のところにあわせるようにして配置されると、その△印の位置にあるモードが選択される様になっている。
【００２６】
また図１（ｂ）に示すようにボディ背面には表示画面１５０１が備えられており、その表示画面１５０１の上方にはファインダ１０１の接眼窓が備えられている。その表示画面１５０１の右斜め下方には、電源スイッチ１５０３が設けられていて、その電源スイッチ１０５３が操作されるとこのデジタルカメラ１が動作状態になって表示画面１５０１上にスルー画が表示されたり、メニューボタン１０５１の操作に応じて表示画面１５０１上にメニューが表示されたり、さらにはモードダイヤル１０３の切替項目に応じた処理やレリーズボタン１０４の操作に応じた撮影処理などが実行されたりする。
【００２７】
また、表示画面１５０１の横にあるメニューボタン１０５１が押されたときに表示画面１５０１上に表示されるメニューの中のいずれかの選択項目を選択するための十字キー１０５２も表示画面１５０１の横方に配備されている。その十字キー１０５２には上下左右キーの４つのキーが設けられており、それらのキーのうちの上あるいは下キーの操作によりいずれかの選択項目が選択され十字キー１０５２の中央にある決定ボタン１０５２０が操作されるか、あるいは右キー１０５２１が操作されると選択項目のうちのいずれかが後述するシステム制御手段内に設定される様になっている。
【００２８】
ここで図１に示すデジタルカメラの内部の構成を説明する。
【００２９】
図２は、図１のデジタルカメラ１の内部の構成を示す構成ブロック図である。
【００３０】
図２を参照してデジタルカメラ１内部の構成を説明する。
【００３１】
本実施形態のデジタルカメラ１ではすべての処理がシステム制御回路１１０によって統括的に制御されている。このシステム制御回路１１０の入力部には図１に示したモードダイヤル１０３、レリーズボタン１０４、画像表示ＯＮ・ＯＦＦスイッチ１０７、十字キー１０５２、メニューボタン１０５１等の操作子が接続されていてそれらの操作子のうちの少なくともいずれかの操作による操作信号がこのシステム制御回路１１０に供給されてくると、それらの操作子の操作に応じた処理が開始されるようになっている。この図１には、メニューボタン１０５１、十字キー１０５２、決定ボタン１０５２０、電源スイッチ１０５３を一まとめにして操作部１０５としてある。
【００３２】
また図１には示していないが、本実施形態のデジタルカメラ１は、着脱自在な記憶媒体３００ここではメモリカードが媒体装填室１００Ａに装着されてその媒体装填室１００Ａに装填されたメモリカード３００に撮影画像を表わす画像データが記録されるようになっているので、記憶媒体であるメモリカード３００が媒体装填室１００Ａ内に装着されているかどうかを検知するための記憶媒体着脱検知手段１０８が備えられている。
【００３３】
さらに図１には図示されていないが、表示画面の表面を保護するための防護用扉やその防護用扉の開閉を検知する画像表示部開閉検知手段１０９も備えられている。これらの記憶媒体着脱検知手段１０８や画像表示部開閉検知手段１０９それぞれからの信号もシステム制御回路１１０に供給されるようになっていてシステム制御回路１１０はそれらの信号を受けて適宜処理を実行するようにもなっている。
【００３４】
またシステム制御回路１１０は、ズームスイッチとしても機能する十字キー１０５２の操作に応じてズーム制御手段１０２０に指示して撮影レンズ１０２１の中のズームレンズを移動させたり、後述するＴＴＬ測距により得た測距結果に応じて測距制御手段１０３０に指示して撮影レンズ１０２１の中のフォーカスレンズを所定の位置に移動させたりもしている。
【００３５】
このシステム制御回路１１０では、ＣＣＤ固体撮像素子１２０（以降ＣＣＤという）で生成された画像信号に基づいて上記ＴＴＬ測距とともにＴＴＬ測光が行なわれている。また、本実施形態のデジタルカメラ１においては、ＣＣＤ１２０で生成された画像データが画像処理回路１４０を経由して色温度測定回路１４１に供給され色温度測定回路１４１で色温度の測定も行なわれている。この色温度の測定結果に基づいてホワイトバランス処理部が備える各色アンプのゲイン設定などが行なわれて好適なホワイトバランス調整がシステム制御回路１１０内のホワイトバランス処理部で行なわれる。
【００３６】
また、上記ＴＴＬ測光による測光値に応じてシステム制御回路１１０は、露光制御手段１０４０に指示してその露光制御手段に絞り１０４１の開口を調節させたり、さらに撮影時に撮影補助光の発光を行なわせる必要があるかどうかの判定も行っている。また、測光値に応じてシステム制御回路１１０は、シャッタ秒時を定めるとともに、そのシャッタ秒時をタイミング発生回路１２１に通知して撮影時にタイミング発生回路１２１にそのシャッタ秒時に応じた信号をＣＣＤ１２０に供給させることによりＣＣＤ１２０の感光面に所定の光量で被写体像を結像させるようにもしている。
【００３７】
さらに測光結果に応じてシステム制御回路１１０が、撮影補助光の発光を行なわせる必要があると判定したときには、補助光発光部１１が備える発光量制御部１１２に指示してＬＥＤ駆動回路１１３にＬＥＤ１１４を駆動させることによって撮影補助光を被写体に向けて照射させるようにしている。
【００３８】
ただし、この例では、ＬＥＤ１１４を積極的に活用するためにＬＥＤ１１４を発光させる発光モードとＬＥＤ１１４に外光を受光させる受光モードとを切り替えるモード切替回路１１３１を、ＬＥＤ駆動回路１１３と３つのＬＥＤ１１４との間に設けてシステム制御回路１１０からの指示に応じてそのモード切替回路１１３１がモードを発光モードに切り替えたときにのみＬＥＤ駆動回路１１３でＬＥＤ１１４を駆動することができる様にしてある。またシステム制御回路１１０からの指示を受けてモード切替回路１１３１がモードを受光モードに切り替えたときには、システム制御回路１１０が電力検出手段１１３２で検出された電力を検知し検知した電力に応じた光量になる様にバックライト発光回路１５０２に指示してバックライト１５０３を発光させている。本実施形態では、システム制御回路１１０とモード切替回路１１３１とが本発明にいうモード切替手段に該当する。
【００３９】
ここで、上記構成を持つデジタルカメラ１の撮影に係る動作概要を、電源スイッチ１０５３の投入から順に説明していく。
【００４０】
まず、デジタルカメラ１の電源スイッチ１０５３（図１（ｂ）参照）が投入されると、システム制御回路１１０を含む各部に電池Ｂｔから電力が供給される。そうしたらシステム制御回路１１０によって不揮発性メモリ１１０１内の全体処理プログラムの手順にしたがって撮影処理が開始される。この例では電池Ｂｔの消費電力を抑制するために操作部１０５内の電源スイッチ１０５３（図１参照）が投入されシステム制御回路１１０（システム制御回路１１０には電池Ｂｔからの電力が常に供給されている）により電源スイッチが投入されたことが検知されたときに初めて電池Ｂｔから電源制御手段１１１ｂを介して各ブロックに電力が供給されるようになっている。こうして電池から各部に電力が供給されたら撮影処理が開始される。
【００４１】
ここからは、被写体側に近い構成部材である撮影レンズ１０２１（図２の向かって右側）から撮影レンズにより捉えられた被写体を表わす画像信号が記録される記憶媒体３００（図２の向かって左側）の方へ向かって順にデジタルカメラ１の内部構成を説明していく。
【００４２】
図２に示すように、図１に示すレンズ鏡胴１００内にはフォーカスレンズやズームレンズといった撮影レンズ１０２１、さらに光量調節用の絞り１０４１などが配備されている。またこの例においてはレンズを保護するレンズバリア１０１１が配備されている例が示されており、電源スイッチ１０５３（図１参照）が投入されるとそのレンズバリア１０１１が解放されて図１に示すように撮影レンズ１０２１が表面に露出する構成になっている。
【００４３】
この電源スイッチ１０５３が投入されたときにモードダイヤル１０３が撮影モードに切り替えられていた場合には、まず表面に露出した撮影レンズ１０２１を通ってＣＣＤ１２０に結像された被写体像が、タイミング発生回路１２１からのタイミング信号に基づいて所定の間隔ごと（例えば１／６０ｍｓ又は１／３０ｍｓごと）に間引かれて出力される。その出力されたスルー画を表わす画像信号（以下スルー画信号）がＡ／Ｄ変換回路１３０でアナログのスルー画信号からデジタルのスルー画信号に変換され、さらにデジタルのスルー画信号がメモリ制御部１１１ａに制御され画像処理回路１４０に導かれる。この画像処理回路１４０で今度はＲＧＢのスルー画信号からＹＣ信号のスルー画信号に変換され、さらにメモリ制御部１１１ａに制御され画像表示メモリ１５１に導かれてスルー画信号がその画像表示メモリ１５１内に記憶される。この画像表示メモリ１５１内に記憶された１フレーム分のスルー画信号がメモリ制御部１１１ａにより読み出されてＤ／Ａ変換回路１６０に導かれアナログのスルー画信号に変換されてから画像表示部１５０に供給される。この例では、画像表示部１５０に所定の間隔ごとに新しいスルー画信号をいち早く供給することができるようにと画像表示メモリ１５１を設けて、その画像表示メモリ１５１に少なくとも２フレーム分のスルー画信号を記憶することによって表示画面上のスルー画の表示タイミングを調整することができるようにしている。
【００４４】
ここでスルー画信号の流れとともに各部の動作を流れに沿って詳細に説明していく。
【００４５】
システム制御回路１１０の制御の下、タイミング発生回路１２１からのタイミング信号に応じて、撮影レンズ１０２０でＣＣＤ１２０上の受光面に結像させた被写体像を表わす画像信号をスルー画信号として後段のＡ／Ｄ変換回路１３０へと次々と出力させる。このＡ／Ｄ変換回路１３０でアナログのスルー画信号からデジタルのスルー画信号に変換され、そのスルー画信号がメモリ制御部１１１ａに制御され画像処理回路１４０に導かれる。この画像処理回路１４０によってＲ色、Ｇ色、Ｂ色の各信号に分離されて色温度測定回路１４１に供給されたり、それらのＲ、Ｇ、Ｂの各色信号が色変換行列により表示用のＹＣ信号に変換されて後段の画像表示メモリ１５１に供給されたりする。Ｒ，Ｇ，Ｂの各色信号の方は後段の色温度測定回路１４１に供給されてこの色温度測定回路１４１により色温度の測定が行なわれたらシステム制御回路１１０内部のホワイトバランス処理部を構成する各色アンプにその測定された色温度に応じたゲインがそれぞれ設定され画像信号のホワイトバランス調整が行なわれる。  
【００４６】
またＹＣ信号の方は、画像表示メモリ１５１に供給され、画像表示メモリ１５１に供給され記憶される。この画像表示メモリ１５１には少なくとも２フレーム分の画像信号が記憶されるようになっており、２フレーム分の画像信号のうち、古い時刻に記憶された１フレーム分の画像信号がＤ／Ａ変換部１６０に導かれアナログ信号に変換されて画像表示部１５０に供給されスルー画が表示画面１５０１上に表示される。
【００４７】
また前述したようにシステム制御回路１１０ではＴＴＬ測距が行なわれその測距結果に基づいて測距制御手段１０３０に指示して常に合焦点に撮影レンズ１０２１の中のフォーカスレンズを移動させるようにしたり、またズームスイッチとしても機能する十字キー１０５２が操作されたときにはズーム制御手段１０２０に指示してそのズームスイッチの操作によるズーム倍率に応じた位置に撮影レンズ１０２１の中のズームレンズを移動させるようにもしたりしているため、表示画面１５０１上にはズームスイッチである十字キー１０５２の操作位置に応じたズーム倍率を持つ、常にピントのあったスルー画が常に表示される様になる。
【００４８】
このようにして撮影レンズ１０２１が向けられた側の被写体がスルー画として表示画面１５０１上に表示されているときに半押し、全押しという２つの操作態様を持つレリーズボタン１０４が半押しされたら撮影準備が整えられ、さらに全押しされたら撮影処理が行なわれる。
【００４９】
また本実施形態においては、システム制御回路１１０がレリーズボタン１０４の半押し時にＴＴＬ測光やＴＴＬ測距を行なってレリーズボタン１０４の全押しタイミングでタイミング発生回路１２１に露光開始信号をＣＣＤ１２０に向けて供給させており、上記ＴＴＬ測光の測光結果により撮影補助光の発光が必要であるとシステム制御回路１１０が判定した場合には発光部１１内の発光量制御手段１１２に指示してレリーズボタン１０４の全押しに同期して撮影補助光を発光させる様にもしている。
【００５０】
こうして撮影補助光の発光・非発光に拘わらず撮影に必要な撮影光量が確保されて撮影が開始されたら、システム制御回路１１０はタイミング発生回路１２１に指示を出し、さらに所定の時間（シャッタ秒時）を隔てて露光終了信号をＣＣＤ１２０に向けて供給させる。
【００５１】
そしてタイミング発生回路１２１に露光終了信号を供給させたらその露光終了信号に同期してＣＣＤ１２０からＡ／Ｄ変換回路１３０に向けてアナログの画像信号が出力される。そのアナログの画像信号が後段のＡ／Ｄ変換回路１３０でデジタルの画像信号に変換され、さらにこのデジタルの画像信号がメモリ制御部１１１ａに制御されバスを経由してメモリ１８０に供給される。そのメモリ１８０にＣＣＤ１２０が備えるすべての画素からなる画像信号がすべて記憶されたら、今度はシステム制御回路１１０の制御の下にその画像信号が読み出されてシステム制御回路１１０で前述のホワイトバランス調整やガンマ補正などが行なわれる。さらにホワイトバランスに応じた撮影補助光の発光により得た画像信号にホワイトバランス調整やガンマ補正が行なわれた後、画像信号がバスを介して画像処理回路１４０に供給されＹＣ信号への変換が行なわれる。さらにＹＣ信号からなる画像信号がバスを介して圧縮・伸張回路１９０に供給されＹＣ信号からなる画像信号が圧縮されて記憶媒体３００ここではメモリカードに記憶される。こうしてレリーズボタン１０４の全押し操作に応じて撮影処理が実行されメモリカード３００に撮影により得られた画像信号が圧縮されて記憶される。
【００５２】
なお、図２にはカメラボディ側面部にあるコネクタ１１０５にケーブルを介してアンテナが接続されると外部との間で無線通信が行なえる通信手段１１０４や、操作内容をユーザに伝える表示部１１０２やメモリ１１０３なども図示されている。
【００５３】
ここで本発明にいうモード切替手段の一部を構成するシステム制御回路１１０が同じくモード切替手段の残りを構成するモード切替回路１１３１に指示してモードを切り替えることによりどのような処理を行うかを、撮影処理の手順とともにフローチャートを参照して説明する。
【００５４】
図３は、システム制御回路１１０が行なう撮影処理を説明するフローチャートである。図３には、撮影処理（レリーズボタンの半・全押し操作）前後にシステム制御回路１１０からの指示にしたがってモード切替回路１１３１がモードを切り替えることによりＬＥＤ１１４を発光素子、あるいは受光素子のどちらの素子として機能させるかが示されている。
【００５５】
撮影前にあっては、ステップＳ３０１でシステム制御回路からの指示にしたがってモード切替回路１１３１がモードを受光モードに切り替えてＬＥＤ１１４を受光素子として作用させることにより電力検出つまり外光の明るさの測定を行なわせる。次のステップＳ３０２へ進んで電力量つまり外光の明るさに応じた光量を算出してその光量になる様にバックライト発光回路１５０２に指示してＬＣＤのバックライトを発光させる。
【００５６】
次のステップＳ３０３でレリーズボタン１０４が半押しされたかどうかを判定する。このステップＳ３０３でレリーズボタン１０４が押されていないと判定したら図中の押されない側へ進んでステップＳ３０１に戻ってステップＳ３０１からステップＳ３０３までの処理を繰り返す。ステップＳ３０３でレリーズボタン１０４が押されたと判定したら、ステップＳ３０４へ進んでモード切替回路１１３１に指示して発光モードへの切り替えを行なわせてから次のステップＳ３０５へ進んでレリーズボタン１０４が全押しされたかどうかを判定する。このステップＳ３０５でレリーズボタン１０４の全押しを待ってステップＳ３０５でレリーズボタン１０４が全押しされたと判定したら発光量制御部１１２に指示してＬＥＤ駆動回路１１３にＬＥＤ１１４を駆動させＬＥＤ１１４を発光させながら撮影を行なう。次のステップＳ３０７へ進んでシステム制御回路１１０の指示にしたがってモード切替回路１１３１が発光モードから受光モードへの切替を行なってＬＥＤ１１４に外光の明るさの測定を行なわせる様にしてからステップＳ３０８で電源スイッチがオフ側に操作されたかどうかを判定する。ステップＳ３０８で電源スイッチがオフ側に操作されていなければ、ステップＳ３０１に戻ってステップＳ３０１からステップＳ３０８までの一連の処理を繰り返す。ステップＳ３０８で電源スイッチがオフ側に切り替えられたと判定したらこのフローの処理を終了する。
【００５７】
システム制御回路１１０がこのフローの処理を実行すると、システム制御回路は、モード切替回路１１３１がシステム制御回路１１０の指示にしたがって発光モードへの切替を行なうことによりＬＥＤ１１４に発光を行なわせたり、受光モードへの切替を行なうことによりＬＥＤ１１４に受光を行なわせて外光の明るさに応じた光量でＬＣＤのバックライトを発光させたりすることができる。
【００５８】
図４は、システム制御回路１１０からの指示を受けてモード切替回路１１３１がモードを発光モードに切り替えたときと受光モードに切り替えたときとの双方のモードにおけるＬＥＤの機能の違いを説明する図である。
【００５９】
図４に示す様にシステム制御回路１１０とモード切替回路１１３１とで構成される本発明にいうモード切替手段が、モードを発光モードに切り替えたときには、２次電池Ｂｔからの電力供給を受けたＬＥＤ駆動回路１１３がＬＥＤ１１４を発光させ、モードを受光モードに切り替えたときには、システム制御回路１１０がＬＥＤ１１４での受光により生成された電力量を電力検出回路１１３２に検出させ、その電力量、つまり外光の明るさに応じたバックライトの光量を算出し算出した光量になる様にバックライト発光回路１５０２に指示してバックライト１５０３を発光させることになる。
【００６０】
この様にしておくと、外光が明るいときには、画像表示部１５０であるＬＣＤのバックライト１５０３の発光電力を増やしてバックライト１５０３を明るく発光させることも、外光が暗いときには、ＬＣＤのバックライト１５０３の発光電力を減らしてバックライト１５０３を暗く発光させることもできる。つまりＬＥＤでの外光の明るさの測定結果に応じてバックライトの調光が自動的に行なわれる様になるので、表示画面をいつでも見易い状態に保つことができる様になる。
【００６１】
以上説明した様に、第１の実施形態においては、ＬＥＤに、発光機能以外に外光の明るさを測定する測定機能を持たせた撮影装置が実現する。
【００６２】
図５、図６は第２実施形態を示す図である。
【００６３】
図５に示すデジタルカメラ１Ａの内部構成は、図２に示す電力検出回路１１３２を充電制御回路１１３２Ａに変更しさらにモード切替回路１１３１の内部構成をモード切替回路１１３１Ａに変更した以外は、図２の回路と同じ図である。なお、第２実施形態においても図１の外観を有するデジタルカメラが用いられるとする。
【００６４】
第１実施形態では、電力検出手段１１３２にＬＥＤ１１４での受光により生成された電力の検出を行なわせたが、第２実施形態では、ＬＥＤ１１４での受光により生成された電力を使って充電制御回路１１３２Ａに２次電池Ｂｔへの充電を行なわせることによって２次電池Ｂｔに上記ＬＥＤの受光により生成された電力を蓄えることができる様にしている。
【００６５】
また、図６には、システム制御回路１１０からの指示にしたがってモード切替回路１１３１Ａがモードを発光モードに切り替えたときと受光モードに切り替えたときとの双方におけるＬＥＤの機能の違いを説明する図が示されている。
【００６６】
図６（ａ）に示す様にシステム制御回路１１０からの指示にしたがってモード切替回路１１３１Ａがモードを発光モードに切り替えたときには、２次電池Ｂｔからの電力の供給を受けたＬＥＤ駆動回路１１３にＬＥＤ１１４を駆動させることによってＬＥＤ１１４を発光させることができ、、また図６（ｂ）に示す様にシステム制御回路１１０からの指示を受けたモード切替回路１１３１Ａがモードを受光モードに切り替えたときには、ＬＥＤ１１４での受光により生成された電力を充電制御回路１１３２Ａを通して蓄電手段である２次電池Ｂｔに供給させることによりその２次電池ＢｔにＬＥＤ１１４での受光により生成された電力を蓄えることができる。
【００６７】
図７は、電源スイッチ１０５３（図１参照）がオン側に操作された後の、システム制御回路１１０が行なう処理の手順を示すフローチャートである。
【００６８】
ステップＳ７０１で電源がオンされたかどうかを判定する。電源オフのままであったら、電源ＯＦＦ側へ進んでステップＳ７０２で電池電圧（バッテリ端子に発生している電圧）を確認する。次のステップＳ７０３で充電を行なう必要があるかどうかを判定する。ステップＳ７０３で充電を行なう必要がないと判定したらこのフローの処理を終了する。ステップＳ７０３で充電を行なう必要があると判定したら、ステップＳ７０４でモード切替回路１１３１が受光モードへ切り替えてＬＥＤ１１４での受光により生成された電力の２次電池Ｂｔへの蓄電つまり充電を開始する。ステップＳ７０５で２次電池Ｂｔが満充電になったかどうかを判定し、満充電になっていなかったらステップＳ７０４の処理を繰り返し行って満充電になるまで充電を行ない続ける。ステップＳ７０５で満充電になったと判定したらＹＥＳ側へ進んでステップＳ７０６で待機モード（詳細は後述するがモード切替回路１１３１を待機状態にする）に移行してこのフローの処理を終了する。
【００６９】
ステップＳ７０１で電源スイッチがオン側に操作されていると判定したらＯＮ側へ進んでステップＳ７０７で２次電池Ｂｔの電池電圧（バッテリ端子に発生している電圧）を確認する。次のステップＳ７０８で被写界輝度を確認して撮影時に発光を行なう必要があるかどうかを判定しておく。次のステップＳ７０９でステップＳ７０７で確認した電池電圧により充電を行なう必要があるかどうかを判定する。このステップＳ７０９で二次電池に充電を行なう必要があると判定したら、ＹＥＳ側へ進んでステップＳ７１０でモード切替回路１１３１が受光モードへの切替を行なってＬＥＤ１１４での受光により生成された電力を用いて電池への蓄電つまり充電を開始する。次のステップＳ７１１でレリーズボタンが押されたかどうかを判定し、レリーズボタンが押されていないと判定したらステップＳ７１０に戻って充電を継続する。ステップＳ７１１でレリーズボタンが押されたと判定したら、ステップＳ７０８での被写界輝度の確認により発光が必要ない場合には発光なし撮影側へ進んでステップＳ７１２で撮影を行なう。次のステップＳ７１３へ進んでステップＳ７１３で電源スイッチがオフ側に切り替えられたかどうかを判定し、電源スイッチがオフ側に切り替えられていなかったらステップＳ７０７に戻ってステップＳ７０７からステップＳ７１３までの処理を繰り返し、ステップＳ７１３で電源スイッチがオフ側に切り替えられたと判定したら、ステップＳ７０２へ移行してステップＳ７０２からステップＳ７０６の処理を行なってこのフローの処理を終了する。
【００７０】
またステップＳ７０８で被写界輝度を確認したときに発光が必要で在ることが判明していたらステップＳ７１１からステップ７１４へ進んでモード切替回路１１３１が受光モードから発光モードへの切り替えを行なってからステップＳ７１５でレリーズボタンが全押しされるのを待つ。
【００７１】
ステップＳ７１５でレリーズボタンが押されたと判定したら、ステップＳ７１６でＬＥＤ１１４に発光を行なわせステップＳ７１７で撮影を行なう。そしてステップＳ７１８で電源スイッチがオフ側に切り替えられたかどうかを判定し、電源スイッチが切り替えられていなかったらステップＳ７０７に戻ってステップＳ７０７からステップＳ７１８までの処理を繰り返し、ステップで７１８で電源スイッチがオフ側に切り替えられたと判定したら、ステップＳ７０２へ移行してステップＳ７０２からステップＳ７０６の処理を行なってこのフローの処理を終了する。
【００７２】
この様に充電制御回路１１３２Ａを設けることにより、システム制御回路が、ＬＥＤ１１４での受光により生成された電力を充電制御回路１１３２Ａを通して２次電池Ｂｔに供給させることによって、本発明にいう蓄電手段に該当する２次電池Ｂｔに電力を蓄える構成にしても良い。
【００７３】
図８は、図５に示すシステム制御回路１１０からの指示を受けてモード切替回路１１３１Ａがモードを発光モードに切り替えたときと受光モードに切り替えたときとの双方におけるモード切替回路内の接続状態を説明する図である。
【００７４】
図８（ａ）〜図８（ｃ）には、システム制御回路１１０とＬＥＤ１１４と２次電池Ｂｔと充電制御部１１３２ＡとＬＥＤ駆動回路１１３との間の接続関係がモード切替回路１１３１Ａ(図中ボックスで示されている)の切り替え状態に応じてどのように変わるかが示されている。システム制御手段１１０がモード切替回路１１３１に指示してモード切替回路１１３１がモードを発光モードに切り替えると、図８（ｂ）に示す接続状態になり、モードを受光モードに切り替えると図８（ｃ）に示す接続状態になる。
【００７５】
つまり、システム制御回路１１０からの指示にしたがってモード切替回路１１３１Ａがモードを受光モードに切り替えたときには、図８（ｂ）に示す様にＬＥＤ１１４が充電制御回路１１３２Ａを通して２次電池Ｂｔに接続され蓄電手段である２次電池に電力が蓄電されることになり、モード切替回路１１３１Ａがモードを発光モードに切り替えたときには、２次電池Ｂｔからの電力供給を受けてＬＥＤ駆動回路１１３がＬＥＤ１１４を駆動してＬＥＤ１１４に発光を行なわせることになる。
【００７６】
図９は、本発明にいうモード切替手段１１３１Ａの回路構成の例を示した図である。
【００７７】
図９（ａ）に示す様に本発明にいうモード切替手段を構成するシステム制御回路１１０とモード切替回路１１３１Ａのうちのシステム制御回路１１０からは、２ビットの信号が出力されているので、その２ビットの信号それぞれのオンオフ状態（２２つまり４通り）に応じて、それぞれ、異なる４つの動作を行なう様にモード切替回路１１３１Ａが構成されている。なお、この例では、双方から同じ論理の信号が出力されると、待機モードになる様に回路が構成されている。
【００７８】
図９に示す回路では、システム制御回路１１０からの信号Ａが‘０’であって信号Ｂが‘１’であった場合には一点鎖線内のモード切替回路１１３１Ａがモードを発光モードに切り替え、また、システム制御回路１１０からの信号Ａが‘１’であって信号Ｂが‘０’であった場合には一点鎖線内のモード切替回路１１３１Ａがモードを受光モードに切り替える構成になっている。図９（ｂ）には、システム制御回路１１０からの４通りの信号に応じてモード切替回路１１３１Ａがどのようなモードに切り替えられるかが示されている。なお、図１０に示す回路では、システム制御回路１１０から２ビットの信号が出力されたときに双方の信号が相互に同じ論理を表す信号（０と０、又は１と１）であった場合には、すべてのトラジスタＴＲ１〜ＴＲ４が非動作状態になって前述の待機モードになる様に回路が構成されている。
【００７９】
ここで一点鎖線内のモード切替回路１１３１Ａの構成を簡単に説明する。
【００８０】
システム制御回路１１０から出力される信号Ａは、モード切替回路１１３１内のインバータＮ２を介してオアゲートＯＲ２に入力されるとともにオアゲートＯＲ１にも入力されている。また同じ様にシステム制御回路１１０から出力される信号Ｂは、インバータＮ１を介してオアゲートＯＲ１に入力されるとともにオアゲートＯＲ２にも入力されている。
【００８１】
この例では、モード切替回路１１３１の入力段にインバータ２つとオアゲート２つとで構成される、いわゆるフリップフロップが配備されており、フリップフロップの出力にあたるオアゲートＯＲ１，ＯＲ２の出力にはシステム制御回路１１０から出力された信号Ａと信号Ｂの組み合わせがそのまま出力される構成になっている。このフリップフロップを挿入しておくと、システム制御回路１１０であるＣＰＵをトランジスタ側の故障から保護することができるとともに、ＣＰＵでは直接トランジスタを駆動することができない場合においてはそのフリップフロップの出力段でトランジスタをドライブすることができる様になる。
【００８２】
この前段のフリップフロップの出力部を構成するオアゲートＯＲ１の出力部には、ｐｎｐトランジスタＴＲ１のベースとｐｎｐトランジスタＴＲ２のベースが接続されており、またオアゲートＯＲ２の出力部には、ｐｎｐトランジスタＴＲ３のベースとｐｎｐトランジスタＴＲ４のベースが接続されている。
【００８３】
図９のモード切替回路１１３１Ｂが構成されると、システム制御回路１１０側から一方が０で他方が１の信号が出力されたときに、オアゲートＯＲ１に接続されているトランジスタＴＲ１,ＴＲ２、又はオアゲートＯＲ２に接続されているトランジスタＴＲ３，ＴＲ４のうちのいずれか一方の対になっているトランジスタ（ＴＲ１とＴＲ２、又はＴｒ３とＴｒ４）が切替自在に動作する様になる。
【００８４】
この例ではシステム制御回路であるＣＰＵ１１０が、Ａ信号‘０’、Ｂ信号‘１’の信号を出力したときにはモード切替回路１１３１Ａがモードを発光モードに切り替える。このときにはオアゲートＯＲ１の出力が０で、オアゲートＯＲ２の出力が１になるのでトランジスタＴＲ１とトランジスタＴＲ２が動作して、２次電池ＢｔからトランジスタＴＲ１のエミッタコレクタ路を経由してＬＥＤ駆動回路１１３、さらにはトランジスタＴＲ２のエミッタコレクタ路を経由してＬＥＤ１１４に電力が供給され、ＬＥＤ１１４が発光する。
【００８５】
またシステム制御回路であるＣＰＵ１１０が、Ａ信号‘１’、Ｂ信号‘０’の信号を出力したときにはモード切替回路１１３１Ａが受光モードに切り替える。このときにはオアゲートＯＲ１の出力が１で、オアゲートＯＲ２の出力が０になるのでトランジスタＴＲ３とトランジスタＴＲ４が動作して、ＬＥＤ１１４からトランジスタＴＲ３のエミッタコレクタ路を経由して充電制御回路１１３２、さらにはトランジスタＴＲ４のエミッタコレクタ路を経由して２次電池Ｂｔに電力が供給され二次電池に電力が蓄電される。
【００８６】
この様にモード切替回路１１３Ａを構成しておくと、システム制御回路１１０からの制御信号に応じて瞬時のうちに発光モードと受光モードとの切替、さらには待機モードへの切替を行なうことができる様になる。
【００８７】
図１０は、２次電池Ｂｔの電池電圧によって２次電池の内部の状態がどのように変わるかを説明する図である。
【００８８】
図１０に示す様に、２次電池Ｂｔの電池電圧が４．２〜３．７Ｖの範囲内にあるときにはほぼ満充電であるので充電を行なう必要がない。ここで、例えば２次電池Ｂｔの電池電圧が３．７Ｖよりも低下したときには充電が必要になるので、システム制御回路１１０からの指示を受けたモード切替回路１１３１がモードを受光モードに切り替えて２次電池Ｂｔの充電を行なう必要が出てくる。図７のステップＳ７０７の電池電圧を確認する処理においては図１０に示す電圧を確認することになる。
【００８９】
図１１は、第３実施形態を説明する図である。
【００９０】
第３実施形態のデジタルカメラ１Ｂにおいても、図１と同じ外観を持つものであって図２と同等の図１１に示す内部構成を持つものとする。図２に示す電力検出回路１１３２が充電制御回路１１３２Ｂに変更され、モード切替回路１１３１の内部構成がモード切替回路１１３２Ｂに変更された以外は、図２の構成と同様である。ただし、ＬＥＤ駆動回路１１３内にＬＥＤを発光させるときの発光電力を供給する電力供給用のコンデンサが配備されているものとして以降説明する。
【００９１】
図５に示す第２実施形態では、充電制御回路１１３２Ａにより２次電池Ｂｔに充電が行なわれ２次電池Ｂｔに電力が蓄電される場合の例が示されていたが、図１１に示す第３実施形態では、ＬＥＤ駆動回路１１３が備える発光電力供給用のコンデンサを充電するために充電制御回路１１３２Ｂが備えられている。
【００９２】
つまり、第３実施形態においては、システム制御回路１１０からの指示に応じてモード切替回路１１３１Ｂがモードを受光モードに切り替えてＬＥＤ１１４での受光により生成された電力を充電制御回路１１３２Ｂの制御の下にＬＥＤ駆動回路１１３内のコンデンサに蓄えさせておいて、発光が必要なときにはそのコンデンサから電荷を一気にＬＥＤに向けて放電させることによりＬＥＤ１１４に発光を行なわせる構成に変更されている。
【００９３】
図１２は、システム制御回路１１０からの指示にしたがってモード切替回路１１３１Ｂがモードを発光モードに切り替えたときと受光モードに切り替えたときの双方におけるＬＥＤ１１４の機能の違いを説明する図である。
【００９４】
図１１に示すシステム制御回路１１０からの指示にしたがってモード切替回路１１３１Ｂがモードを発光モードに切り替えたときには、２次電池Ｂｔからの電力供給を受けてＬＥＤ駆動回路１１３によってＬＥＤ１１４が駆動されることによりＬＥＤ１１４が発光し、受光モードに切り替えたときには、充電制御回路１１３２Ｂがコンデンサへの充電を制御することによりＬＥＤ１１４での受光により生成された電力がコンデンサに蓄電される。
【００９５】
図１３、図１４は、第３実施形態の効果を説明する図である。図１３には逆光時の撮影ではデジタルカメラ１Ｂが備えるＬＥＤ１１４が太陽の方を向くことが示されており、図１４には順光時の撮影ではＬＥＤ１１４が太陽に背を向けることが示されている。
【００９６】
図１３に示す様に逆光撮影のときには、ＬＥＤ１１４が太陽光を受光する量が増えて上記発光電力供給用のコンデンサにより多くの電力が蓄えられる様になるので、逆光時の撮影時においてはそのコンデンサの電荷を放電させることによりＬＥＤ１１４から多くの光量で発光を行なわせることにより逆光補正を行なうことができる。
【００９７】
また、図１４に示す様に順光撮影のときには、ＬＥＤ１１４が太陽光に背を向けることになるのでＬＥＤ１１４にはあまり電力が生成されないが順光撮影であるので補助光の発光がほとんどないとして、２次電池を用いてゆっくりと充電を行なうことができる。万が一発光を行なう様なことがあったとしても順光であってさほど発光量を必要としないので十分に対応は利く。
【００９８】
図１５は、図１１のモード切替回路１１３１Ｂの回路の一例である。
【００９９】
図１０と同様の回路構成で簡単にモード切替回路１１３１Ｂを構成することができる。
【０１００】
図１６は、図１１のシステム制御回路１１０が行なう撮影処理の手順を示すフローチャートである。
【０１０１】
ステップＳ１６０１で電源スイッチがオン側に操作されたかどうかを判定する。電源オフのままであったらこのフローの処理を終了する。
【０１０２】
ステップＳ１６０１で電源スイッチがオン側に操作されたと判定したら、次のステップＳ１６０２へ移行して補助光発光ボタンが操作されているかどうかを判定する。ここで操作されていないと判定したら、ステップＳ１６０３へ進んでレリーズボタンが押下されたかどうかを判定し押下されたと判定したら次のステップＳ１６０４へ進んで撮影を行なってステップＳ１６０５で電源スイッチがオフ側に操作されているかどうかを判定し操作されていなければステップＳ１６０２に戻ってステップＳ１６０２からの処理を繰り返す。ステップＳ１６０５で電源スイッチがオフ側に操作されていると判定したら、このフローの処理を終了する。
【０１０３】
また、ステップＳ１６０２で、補助光発光ボタンが操作されていると判定したら、図中のあり側へ進む。ステップＳ１６０６で被写界輝度が暗いと判定したときにはステップＳ１６０７へ進んでステップＳ１６０７で２次電池Ｂｔの電力を用いて発光用コンデンサの充電を開始する。
【０１０４】
ステップＳ１６０６で被写界輝度が明るいと判定したときには、ステップＳ１６０８へ進んでステップＳ１６０８でＬＥＤ１１４での受光により生成された電力を用いて発光用コンデンサの充電を開始する。
【０１０５】
ステップＳ１６０９へ移行してレリーズボタンが押されたかどうかを判定する。このステップＳ１６０９でレリーズボタンが押されていないと判定したらステップＳ１６０９の処理を繰り返し、レリーズボタンが押されたと判定したら次のステップＳ１６１０へ進んでステップＳ１６１０で撮影を行なう。ステップＳ１６１１で電源スイッチがオフ側に操作されていないと判定したらステップＳ１６０２に戻ってステップＳ１６０２からの処理を繰り返し、ステップＳ１６１１で電源スイッチがオフ側に操作されたと判定したらこのフローの処理を終了する。
【０１０６】
図１７〜図２２は、第４実施形態を説明する図である。
【０１０７】
第４実施形態のデジタルカメラ１Ｃにおいても、図１に示す第１実施形態の外観を持ち、図２の内部構成とほぼ同じ構成を持つデジタルカメラが用いられるとする。
【０１０８】
第１実施形態では、システム制御回路１１０が、電力検出回路１１３２に検出させた電力に応じた光量を算出し外光の明るさに応じてバックライト発光回路１５０２に指示してバックライト発光回路１５０２でバックライト１５０３の調光を行なっていたが、第４実施形態では、２次電池ＢｔとＬＥＤ１１４との双方からバックライト発光回路１５０２に電力を供給させることにより、ＬＥＤ１１４の受光電力量の変化に応じてバックライトの調光を行なう構成に変えている。図１７の回路構成は、図２の電力検出回路１１３２が電力供給回路１１３２Ｃに変更されている以外は、図２とほぼ同じ回路構成である。また、図１８〜図１９には、システム制御回路１１０からの指示を受けてモード切替回路１１３１Ｃがモードを発光モードに切り替えたときと受光モードに切り替えたときとの双方におけるＬＥＤ１１４の機能の違いが示されている。また図２０には、図１０と同様のモード切替回路１１３１Ｃの回路構成例が示されている。また図２１には、第４実施形態の特徴となる受光モードにおけるＬＥＤ１１４の動作が回路的に示されている。さらに、図２２には電源スイッチが投入された後の、システム制御回路１１０が行なう処理の手順が示されている。
【０１０９】
図１８と図１９から分かる様に、システム制御回路からの指示にしたがってモード切替回路１１３１Ｃがモードを発光モードに切り替えたときには、２次電池Ｂｔからバックライト発光回路１５０２に電力が供給され二次電池からの電力供給のみでバックライトが発光する。
【０１１０】
これに対し受光モードのときには、ＬＥＤ１１４と２次電池Ｂｔとの双方からバックライト発光回路１５０２に電力が供給されＬＥＤ１１４と２次電池Ｂｔとの双方からの電力供給でバックライト１５０３の調光が行なわれる。
【０１１１】
図２１にも在る様に、システム制御回路１１０からの指示にしたがってモード切替回路１１３１Ｃが受光モードへの切り替えを行なったときにはＬＥＤ１１４と２次電池Ｂｔとの双方からバックライト発光回路１５０２に電力が供給されるため、バックライト発光回路１５０２が通常３０ｍＡの電流を流してバックライト１５０３を発光させているところを、４０ｍAの電流を流すことにより通常よりも明るく発光させることができる様になる。
【０１１２】
つまり外光が明るいときにはＬＥＤ１１４での受光により生成される電力が増え、より多くの電流をバックライト１５０３に流すことができるのでバックライトが明るくなり、外光が暗いときにはＬＥＤ１１４での受光により生成される電力が減り２次電池Ｂｔからしかバックライトに電流を流すことができなくなるのでバックライトが暗くなる。言い換えれば、被写界の明るさに応じてＬＥＤでの受光により生成された電力量に応じて自動的に調光が行なわれるということになる。
【０１１３】
図２２は、システム制御回路１１０の指示にしたがってモード切替回路１１３１Ｃが受光モードへの切り替えを行なうことによりＬＥＤ１１４での受光により生成された電力によってバックライトの調光が自動的に行なわれるときの、システム制御回路１１０が行なう撮影処理の手順を示すフローチャートである。
【０１１４】
ステップＳ２２０１で電源スイッチがオン側に操作されたかどうかを判定する。このステップＳ２２０１でオン側に操作されていないと判定したらこのフローの処理を終了する。
【０１１５】
ステップＳ２２０１で、電源がオン側に操作されたと判定したら、システム制御回路１１０からの指示にしたがってモード切替回路１１３１Ｃが受光モードへの切替を行なってＬＥＤ１１４での受光により生成された電力をバックライト発光回路１５０２へ供給する。次のステップＳ２２０３へ進んでレリーズボタンが半押しされたかどうかを判定してレリーズボタンが半押しされていないと判定したら、ステップＳ２２０３の処理を繰り返し、ステップＳ２２０３で半押しされたと判定したら、ステップＳ２２０４でシステム制御回路からの指示にしたがってモード切替回路１１３１が発光モードに切り替えてＬＥＤからのバックライト発光回路１５０２への電力供給を停止し、ステップＳ２２０５でレリーズボタンが全押しされたかどうかを判定する。ステップＳ２２０５で全押しされたと判定したらステップＳ２２０６で撮影を行なう。このときに補助光が必要なときにはシステム制御回路１１０が発光量制御部１１２に指示してＬＥＤ駆動回路１１３にＬＥＤ１１４を駆動させ撮影補助光の発光を行なわせる。ステップＳ２２０７で電源スイッチがオフ側に操作されていないと判定したらステップＳ２２０２からの処理を繰り返す。
【０１１６】
この様にすると、２次電池Ｂｔからの一定の電力供給により、ある程度の光量でバックライト１５０３を発光させておいてＬＥＤ１１４での受光により生成された電力をバッテリから供給されている一定の電力に加算することによってバックライトの調光を行なうことができる様になる。
【０１１７】
図２３は、図２２と同様にシステム制御回路１１０の指示にしたがってモード切替回路１１３１Ｃが受光モードへの切り替えを行なうことによりＬＥＤ１１４での受光により生成された電力によってバックライトの調光を行なうときの、システム制御回路１１０が行なう別の撮影処理の手順を示すフローチャートである。
【０１１８】
ステップＳ２２０２１とステップＳ２２０２２を追加した以外は、図２２と同じ処理である。
【０１１９】
ステップＳ２２０２１を追加してステップＳ２０２１でＬＥＤ１１４からの電力供給量が減ってきたら、ステップＳ２２０２２へ進んでステップＳ２２０２２で２次電池Ｂｔからの電力供給だけにしてＬＥＤ１１４からの供給を行なわずにＬＣＤの表示画面を暗くして省エネモードに移行している。こうしてバックライトの電力消費を低減させることにより省電力モードに移行すると、ＬＥＤの消耗を抑制することができ、かつ表示画面を見易くすることができる。また、バックライトを暗くして表示画面の明るさを暗くすることで省エネモードに移行したことを撮影者に通知することもできる。
【０１２０】
図２４、図２５は、第６実施形態を示す図である。
【０１２１】
この第６実施形態においても、図１に示す第１実施形態の外観を持ち、図２と同様の内部構成を持つデジタルカメラが用いられるとし、図２の構成に加えて図２４に示す液体レンズ１１４１がＬＥＤ１１４の前面に追加されているとする。
【０１２２】
図２４には、ＬＥＤ１１４の前面に追加された液体レンズ１１４１の作用を説明する図が示されている。
【０１２３】
図２４に示す様にＬＥＤ１１４からの光を被写体に向けて照射する照射角を変化させる照射角変更部材である液体レンズ１１４１が配備されていることを利用して、システム制御回路１１０とモード切替回路１１３１，又は１１３１Ａ，又は１１３１Ｂ，又は１１３１Ｃとで構成されるモード切替手段がモードを受光モードに切り替えたときにはその液体レンズ１１４１の画角を広角側に切り替えてＬＥＤ１１４に多くの光量を受光させより多くの電力を生成させる様にしている。
【０１２４】
図２５は、図２４に示す液体レンズ１１４１が追加された場合にシステム制御回路１１０が行なう処理の手順を示すフローチャートである。
【０１２５】
ステップＳ２５０１で受光モードに切り替えられているかを判定する。受光モードであると判定したときには、ステップＳ２５０２へ進んでステップＳ２５０２で液体レンズ１１４１を広角側に切り替えさせてステップＳ２５０３でコンデンサや２次電池への充電を行なわせる。
【０１２６】
さらにステップＳ２５０４で充電を終了したらレンズの画角を狭めてこのフローの処理を終了する。
【０１２７】
またステップＳ２５０１で、発光モードであると判定したときにはステップＳ２５０６へ進んでステップＳ２５０６で撮影レンズ１０２１内のズームレンズの焦点距離に合わせて液体レンズ１１４１を動かして照射角を設定する。ステップＳ２５０７でズームスイッチが操作されたと判定したら、そのズームスイッチの操作に応じた焦点距離に合う形に液体レンズをして照射角を設定する。ズームスイッチが操作されたかどうかを判定して操作されていなかったらこのフローの処理を終了する。
【０１２８】
こうしておくと、モード切替回路１１３１又は１１３１Ａ又は１１３１Ｂ又は１１３１Ｃが受光モードへの切り替えを行なったと同時に液体レンズを広角に設定することによりＬＥＤ１１４に多くの光量を受光させることができるのでＬＥＤ１１４により多くの電力を生成させることができる様になる。
【０１２９】
以上説明した様に、ＬＥＤに補助光発光以外の様々な機能を持たせた撮影装置が実現する。
【０１３０】
なお、本実施形態では、撮影補助光を発光する補助光発光部１１がＬＥＤを備えている場合の例を説明したが、ＡＦ補助光を発光する発光部がＬＥＤを備えていても良い。また、撮影補助光を発光する補助光発光部がＬＥＤを備えていて、さらにこの補助光発光部がＡＦ補助光を発光するものであっても良い。
【図面の簡単な説明】
【０１３１】
【図１】本発明の一実施形態であるデジタルカメラ１の外観を示す図である。
【図２】図１のデジタルカメラ１の内部の構成を示す構成ブロック図である。
【図３】システム制御回路１１０が行なう撮影処理を説明するフローチャートである。
【図４】システム制御回路１１０からの指示を受けてモード切替回路１１３１がモードを発光モードに切り替えたときと受光モードに切り替えたときとの双方のモードにおけるＬＥＤの機能の違いを説明する図である。
【図５】第２実施形態を示す図である。
【図６】図５に示すシステム制御回路１１０からの指示を受けてモード切替回路１１３１Ａがモードを発光モードに切り替えたときと受光モードに切り替えたときとの双方におけるＬＥＤの機能の違いを説明する図である。
【図７】図５に示すシステム制御回路１１０が行なう撮影処理の手順を示すフローチャートである。
【図８】システム制御回路１１０からの指示を受けてモード切替回路１１３１Ａがモードを発光モードに切り替えたときと受光モードに切り替えたときとの双方におけるモード切替回路内１１３１Ａの接続状態を説明する図である。
【図９】本発明にいうモード切替手段１１３１Ａの回路構成例を示した図である。
【図１０】２次電池Ｂｔの電池電圧によって２次電池の内部状態がどのように変わるかを説明する図である。
【図１１】第３実施形態を説明する図である。
【図１２】図１１に示すシステム制御回路１１０からの指示を受けて図１１に示すモード切替回路１１３１Ｂがモードを発光モードに切り替えたときと受光モードに切り替えたときとの双方におけるＬＥＤの機能の違いを説明する図である。
【図１３】第３実施形態の効果を説明する図である。
【図１４】第３実施形態の効果を説明する図である。
【図１５】図１１に示すモード切替回路１１３１Ｂの回路構成例である。
【図１６】図１１のシステム制御回路１１０が行なう撮影処理の手順を示すフローチャートである。
【図１７】第４実施形態を説明する図である。
【図１８】図１７に示すシステム制御回路１１０からの指示を受けて図１７に示すモード切替回路１１３１Ｃがモードを発光モードに切り替えたときと受光モードに切り替えたときとの双方におけるＬＥＤの機能の違いを説明する図である。
【図１９】図１７に示すシステム制御回路１１０からの指示を受けて図１７に示すモード切替回路１１３１Ｃがモードを発光モードに切り替えたときと受光モードに切り替えたときとのモード切替回路１１３１Ｃ内の接続状態を説明する図である。
【図２０】図１８、図１９で説明したモード切替回路１１３１Ｃの回路構成例である。
【図２１】第４実施形態の効果を説明する図である。
【図２２】図１７に示すシステム制御回路１１０がモード切替回路１１３とともに行なう撮影処理の手順を示すフローチャートである。
【図２３】図２２の変形例を示す図である。
【図２４】第５実施形態を示す図である。
【図２５】図２４に示す液体レンズを備えたデジタルカメラ内に配備されたシステム制御回路が行なう撮影処理の手順を示す図である。
【符号の説明】
【０１３２】
１    デジタルカメラ
１００    レンズ鏡胴
１０１    ファインダ
１０２    発光窓
１０３    モードダイヤル
１０４    レリーズボタン
１０５    操作部
１０５１    メニューボタン
１０５２    十字キー
１０５２０    決定ボタン
１０５２１    右キー
１０５３    電源スイッチ
１０７    画像表示ＯＮ・ＯＦＦスイッチ
１１０    システム制御回路
１２０    ＣＣＤ固体撮像素子
１３０    Ａ／Ｄ変換回路
１４０    画像処理回路
１４１    色温度測定回路
１１      補助光発光部
１１２    発光量制御手段
１１３  ＬＥＤ駆動回路
１１３１  １１３１Ａ  １１３１Ｂ  １１３１Ｃ  モード切替回路
１１３２    電力検出回路
１１３２Ａ    充電制御回路
１１３２Ｂ    充電制御回路
１１３２Ｃ    電力供給回路
【図１】
2008058347.tif 000003
【図２】
2008058347.tif 000004
【図３】
2008058347.tif 000005
【図４】
2008058347.tif 000006
【図５】
2008058347.tif 000007
【図６】
2008058347.tif 000008
【図７】
2008058347.tif 000009
【図８】
2008058347.tif 000010
【図９】
2008058347.tif 000011
【図１０】
2008058347.tif 000012
【図１１】
2008058347.tif 000013
【図１２】
2008058347.tif 000014
【図１３】
2008058347.tif 000015
【図１４】
2008058347.tif 000016
【図１５】
2008058347.tif 000017
【図１６】
2008058347.tif 000018
【図１７】
2008058347.tif 000019
【図１８】
2008058347.tif 000020
【図１９】
2008058347.tif 000021
【図２０】
2008058347.tif 000022
【図２１】
2008058347.tif 000023
【図２２】
2008058347.tif 000024
【図２３】
2008058347.tif 000025
【図２４】
2008058347.tif 000026
【図２５】
2008058347.tif 000027